(57)【要約】      （修正有）【課題】重いビデオカメラを使う時や、長時間の撮影や、移動しながら、特に望遠を使う際の撮影での手ぶれを防止する。【解決手段】本体の上部左右に設けられた支柱の先端部に、全体がゆるやかな湾曲状に凹んだ腕のせ台を回動自在に装着し、本体の下部には、下側表面がゆるやかな湾曲状に凹んだ腹当て部を設けてある。又、本体の中央任意部を境に、本体上部と本体下部に分離し、支点を介し、本体上部と本体下部を回動自在に連設している。又、本体の中央任意部を境に、本体内棒上部と本体外枠下部に分離し、本体内棒上部の下方には、凸部を有する弾力あるうでが設けてあり、本体外枠下部の一面には、複数の切除部を設け、本体内棒上部は、本体外枠下部内に、スライド自在に装着する。【選択図】なし【特許請求の範囲】
【請求項１】
本体の上部左右に設けられた支柱の先端部に、全体がゆるやかな湾曲状に凹んだ腕のせ台を回動自在に装着し、本体の下部には、下側表面がゆるやかな湾曲に凹んだ腹当て部を設けたことを特徴とするビデオカメラ用手ぶれ防止保持具。
【請求項２】
本体の中央任意部を境に、本体上部と本体下部に分離し、支点を介し、本体上部と本体下部を回動自在に連設した請求項１のビデオカメラ用手ぶれ防止保持具。
【請求項３】
本体の中央任意部を境に、本体内棒上部と本体外枠下部に分離し、本体内棒上部の下方には、凸部を有する弾力あるうでを設け、本体外枠下部の一面には、複数の切除部を設け、本体内棒上部は本体外枠下部内にスライド自在に装着した請求項１、請求項２のビデオカメラ用手ぶれ防止保持具。
【発明の詳細な説明】
【技術分野】
【０００１】  本発明は、重いビデオカメラを使う時や、長時間の撮影や、移動しながら、特に望遠を使う際の撮影での手ぶれを防止するためのビデオカメラ用手ぶれ防止保持具に関するものである。
【背景技術】
【０００２】  従来は、ビデオカメラで撮影する際に、右手でビデオカメラを保持していた。ビデオカメラが重い場合や、長時間の撮影や、望遠を使う際には、左手を添え両手を使うこともあった、又、より安定さすために一脚や三脚を使用していた。
【発明の概要】
【発明が解決しようとする課題】
【０００３】  従来より、次のような問題点があった。
（イ）  右手だけでビデオカメラを保持し撮影すると、ビデオカメラが重いと手が疲れる、特に運動会等で望遠を使い、移動しながら撮影すると、ビデオカメラ本体に手ぶれ防止機能がついていても、手元のわずかな動きでも、遠方では、ぶれやすく、両手を使っても、手ぶれはあまり防止できなかった。
（ロ）  一脚又は三脚を使うと、安定するが長い脚を地面に据えて使うので、移動しながらの撮影はできなかった。
本発明は、これらの問題点を解決するためになされたものである。
【課題を解決するための手段】
【０００４】  本体の上部左右に設けられた支柱の先端部に、全体がゆるやかな湾曲状に凹んだ腕のせ台を回動自在に装着し、本体の下部には、下側表面がゆるやかな湾曲状に凹んだ腹当て部を設けて、又、本体の中央任意部を境に、本体上部と本体下部に分離し、支点を介し本体上部と本体下部を回動自在に連設する。
又、本体の中央任意部を境に、本体内棒上部と本体外枠下部に分離し、本体内棒上部の下方には、凸部を有する弾力のあるうでを設け、本体外枠下部の一面には複数の切除部を設け、本体内棒上部は、本体外枠下部内にスライド自在に装着する。
以上の構成を特徴とするビデオカメラ用手ぶれ防止保持具である。
【発明の効果】
【０００５】  本発明品を使うことにより、腕や肩の筋力はあまり使わず、本発明品と腕が一体化し、一脚の役目をし、重いビデオカメラでも、撮影時間が長くなっても、望遠を使った際も、手ぶれをかなり防ぐことができる。又、運動会等のように移動しながらの撮影も楽におこなうことができる。
又、本発明品を使用しない時は、落下防止用紐を、首にかけたまま持ち運ぶことができ便利である。
【図面の簡単な説明】
【０００６】
【図１】  本発明の斜視図
【図２】  本発明の使用状態を示す斜視図
【図３】  本発明を携帯している時の側面図
【図４】  本発明の使用時の側面の断面図
【図５】  本発明の実施例２の携帯時側面の断面図
【図６】  本発明の実施例２の使用時側面の断面図
【図７】  本発明の実施例３の携帯時側面の断面図
【図８】  本発明の実施例３の使用時側面の断面図
【発明を実施するための形態】
【０００７】  以下、本発明の実施の形態について説明する。
【実施例１】
【０００８】  （イ）  本体（１）の上部左右に設けられた支柱（２）に、表面が弾力性のある物質（３）で覆われ、かつ、全体がゆるやかな湾曲状に凹んだ腕のせ台（４）を、回動自在に装着する。
（ロ）  本体（１）の下部には、表面が弾力性のある物質（５）で覆われ、かつ下側表面がゆるやかな湾曲状に凹んだ腹あて部（６）を設ける。
（ハ）  本体（１）の上方左右には、落下防止用紐（７）が取り付けてある。
又、落下防止用紐を使用しなくても、本発明品を腕（８）と腹（９）に挟んで保持すると落下することなく、本発明品を使用することができる。
【実施例２】
【０００９】  （二）  図５、図６に示すように本体（１）の中央任意部を境に、本体上部（１０）と本体下部（１１）を分離し、支点（１２）を介して本体上部（１０）と本体下部（１１）を回動自在に連設している。
（ホ）  本体上部（１０）と本体下部（１１）には、バネ（１３）が取り付けてある。
【実施例３】
【００１０】  （ヘ）  図７、図８に示すように本体（１）の中央任意部を境に、本体内棒上部（１４）と本体外枠下部（１５）に分離している。
（ト）  本体内棒上部（１４）の下方には、凸部（１６）を有する弾力あるうで（１７）が設けてある。
（チ）  本体外枠下部（１５）の一面には、複数の切除部（１８）を設けてある。
（リ）  本体内棒上部（１４）は、本体外枠下部（１５）内にスライド自在に装着されている。
以上を特徴とするビデオカメラ用手ぶれ防止保持具である。
本発明は、以上の構成からなるもので、本発明品を使用する時は、
実施例１の場合、まず、本体（１）を持ち、腕のせ台（４）を、約４５度回動させ、腕（８）と腹（９）の間に、具合の良い位置で挟み、撮影をはじめると良い。
実施例２の場合は、図５のようにバネ（１３）の力で閉じているのを、本体上部（１０）と本体下部（１１）を支点（１２）を軸に回動させ、図６のようにバネ（１３）の力で開いた状態にする。そこで実施例１と同じ方法で腕（８）と腹（９）に挟み撮影をはじめると良い。
実施例３の場合は、図７で示すように凸部（１６）が弾力の力で切除部（１８）より外に出てストッパーがきいているので、凸部を指で押したまま本体内棒上部（１４）の腕のせ台（４）を上方へ引くと、スライドして、図８のように、ストッパーがかかる、次に腕のせ台（４）を約４５度回動させ、実施例１と同じように腕（８）と腹（９）の間に挟み撮影をはじめると良い。
【符号の説明】
【００１１】  １    本体
２    支柱
３    腕用の弾力性のある物質
４    腕のせ台
５    腹用の弾力性のある物質
６    腹当て部
７    落下防止用紐
８    腕
９    腹
１０    本体上部
１１    本体下部
１２    支点
１３    バネ
１４    本体内棒上部
１５    本体外枠下部
１６    凸部
１７    弾力あるうで
１８    切除部
【図１】
2013088796.tif 000002
【図２】
2013088796.tif 000003
【図３】
2013088796.tif 000004
【図４】
2013088796.tif 000005
【図５】
2013088796.tif 000006
【図６】
2013088796.tif 000007
【図７】
2013088796.tif 000008
【図８】
2013088796.tif 000009